(57)【要約】【課題】環境性の高さを持ちつつ長期間の法面の表層侵食防止が可能であり、また、特に樹木等の緑化用植物の良好な成長による確実な緑化の達成を図ることもできる法面保護用網および法面保護工法を提供すること。【解決手段】腐食性線材５と、この腐食性線材５よりも遅く腐食する素材または腐食しない素材からなり前記腐食性線材５に一体化された耐久性線材６とによって一部または全部を構成してある法面保護用網１であって、前記耐久性線材６は、腐食性線材５の腐食後には伸ばすことができるように構成してある。【選択図】図２
2008231850.tif 000002
【特許請求の範囲】
【請求項１】
腐食性線材と、腐食性線材よりも遅く腐食するかまたは腐食しない素材からなり前記腐食性線材に一体化された耐久性線材とによって一部または全部を構成してある法面保護用網であって、前記耐久性線材は、腐食性線材の腐食後には伸ばすことができるように構成してあることを特徴とする法面保護用網。
【請求項２】
緯線部分と経線部分とを備えた法面保護用網であって、少なくとも経線部分の一部を、腐食性線材と、腐食性線材よりも遅く腐食するかまたは腐食しない素材からなり前記腐食性線材に一体化された耐久性線材とによって構成してあり、前記耐久性線材に、前記緯線部分が当接し腐食性線材の腐食後には伸ばすことができる曲げ部分を設けてあることを特徴とする法面保護用網。
【請求項３】
前記腐食性線材に対し前記耐久性線材を螺旋状に巻き付けることにより、耐久性線材を腐食性線材に一体化してある請求項１または２に記載の法面保護用網。
【請求項４】
前記腐食性線材に対し前記耐久性線材を螺旋状に編み込むことにより、耐久性線材を腐食性線材に一体化してある請求項１または２に記載の法面保護用網。
【請求項５】
前記腐食性線材に対する前記耐久性線材の結束により、耐久性線材を腐食性線材に一体化してある請求項１または２に記載の法面保護用網。
【請求項６】
植生基材を保持した請求項１〜５のいずれかに記載の法面保護用網。
【請求項７】
請求項１〜６のいずれかに記載の法面保護用網を法面に敷設することを特徴とする法面保護工法。
【請求項８】
請求項１〜６のいずれかに記載の法面保護用網の敷設と、植生基材の客土とを法面に対して行うことにより、法面上に法面保護用網と植生基材とを積層させることを特徴とする法面保護工法。
【発明の詳細な説明】
【技術分野】
【０００１】
本発明は、例えば法面の保護と緑化とを同時に図る際に用いて好適な法面保護用網および法面保護工法に関する。
【背景技術】
【０００２】
法面保護と法面緑化とを目的とした法面緑化工法では、緑化基礎工としてネットを法面に敷設して法面を保護すると共に、法面上において植生基材の保持や周辺地域からの飛来種子の捕捉等を行い、法面の緑化を図ることが従来より行われている。
【０００３】
【特許文献１】特開平１１−８１３２４号公報
【発明の開示】
【発明が解決しようとする課題】
【０００４】
ところで、上記法面緑化工法において、例えば、前記ネットとして化学繊維からなるネットを用いると、当該ネットは将来にわたり腐朽せず法面上に残存し、環境問題を引き起こす。最近では、上記環境問題の解決を図ることができるものとして生分解性ネットが存在するが、かかるネットは割高であり、これを用いると必然的に施工コストが跳ね上がる。
【０００５】
また、椰子繊維を利用した椰子ネットを採用すれば、素材とする椰子は天然性（植物性）である上、当該椰子ネットは椰子油を採取した際にごみとして発生する椰子殻を再利用して形成されるものであり、環境性の非常に高い施工が可能になる。しかし、椰子ネットは法面に敷設して２〜３年で腐朽し強度を失うので、施工可能な場所が安定性の高い盛土法面などに限定されてしまう。
【０００６】
その他、前記ネットとして金網を用いることも考えられる。しかし、金網は安価で耐久性が高く長期的に法面に残存し、将来には腐食して（錆びて）なくなるという利点を有する反面、その剛性が災いして問題を発生させうるという欠点もある。すなわち、近年の法面緑化工法では、初期段階から緑化用植物として樹木を導入するケースが増えており、中でも先駆性の樹木は幹部の肥大成長が早く、かかる樹木に金網が食い込み、その成長を阻害し緑化の達成が困難となることや、倒木の危険性を生じることが問題視されている。
【０００７】
そこで、樹木の成長に応じて金網が腐朽するようにその腐朽速度を調節することも考えられるが、金網を構成する鉄線の腐食を早めるコーティング材やコーティング技術は存在するものの、金網が敷設される法面上では多様な自然因子が複雑に絡み合う等の理由から、その腐朽速度を調節する技術は未だ確立されていない。また、上記問題を解決するために金網の網目を広げると、法面の保護（表層侵食の防止）が不十分となる。
【０００８】
本発明は上述の実情に鑑みてなされたもので、その目的は、環境性の高さを持ちつつ長期間の法面の表層侵食防止が可能であり、また、特に樹木等の緑化用植物の良好な成長による確実な緑化の達成を図ることもできる法面保護用網および法面保護工法を提供することにある。
【課題を解決するための手段】
【０００９】
上記目的を達成するために、本発明に係る法面保護用網は、腐食性線材と、腐食性線材よりも遅く腐食するかまたは腐食しない素材からなり前記腐食性線材に一体化された耐久性線材とによって一部または全部を構成してある法面保護用網であって、前記耐久性線材は、腐食性線材の腐食後には伸ばすことができるように構成してあることを特徴としている（請求項１）。
【００１０】
より具体的には、本発明に係る法面保護用網は、緯線部分と経線部分とを備えた法面保護用網であって、少なくとも経線部分の一部を、腐食性線材と、腐食性線材よりも遅く腐食するかまたは腐食しない素材からなり前記腐食性線材に一体化された耐久性線材とによって構成してあり、前記耐久性線材に、前記緯線部分が当接し腐食性線材の腐食後には伸ばすことができる曲げ部分を設けてあることを特徴としている（請求項２）。
【００１１】
上記法面保護用網において、前記腐食性線材に対し前記耐久性線材を螺旋状に巻き付けることにより、耐久性線材を腐食性線材に一体化してあってもよく（請求項３）、前記腐食性線材に対し前記耐久性線材を螺旋状に編み込むことにより、耐久性線材を腐食性線材に一体化してあってもよく（請求項４）、前記腐食性線材に対する前記耐久性線材の結束により、耐久性線材を腐食性線材に一体化してあってもよい（請求項５）。
【００１２】
上記法面保護用網が植生基材を保持していてもよい（請求項６）。
【００１３】
また、上記目的を達成するために、本発明に係る法面保護工法は、請求項１〜６のいずれかに記載の法面保護用網を法面に敷設することを特徴としている（請求項７）。
【００１４】
上記法面保護工法が、請求項１〜６のいずれかに記載の法面保護用網の敷設と、植生基材の客土とを法面に対して行うことにより、法面上に法面保護用網と植生基材とを積層させることを特徴としていてもよい（請求項８）。
【発明の効果】
【００１５】
請求項１〜８に係る発明では、環境性の高さを持ちつつ長期間の法面の表層侵食防止が可能であり、また、特に樹木等の緑化用植物の良好な成長による確実な緑化の達成を図ることもできる法面保護用網および法面保護工法が得られる。
【００１６】
すなわち、請求項１、２に係る法面保護用網は腐朽速度の異なる複数の素材によって形成してあり、腐朽速度の遅い素材または腐食しない素材からなる耐久性線材を腐食性線材の腐食後には長手方向に伸ばすことができるように構成してあるので、法面上の緑化用植物の成長を阻害しないように植物の成長（植生群落の移行）に合わせて網目の大きさを好適に拡張させることができ、前記法面保護用網を用いた請求項７、８に係る法面保護工法では法面の保護と緑化とを良好かつ確実に達成することが可能となる。
【００１７】
また、耐久性線材が腐食性線材よりも遅く腐食する素材からなる場合には、法面に設置した前記法面保護用網が最終的には全て腐食により消失するので、環境に負荷を与えることがない。
【００１８】
さらに、請求項２に係る発明では、緯線部分が経線部分を構成する耐久性線材の曲げ部分に当接し、この曲げ部分が経線方向に対する緯線のスライドを抑制する抵抗となるため網の目ずれ防止を図ることができる。尚、緯線部分も経線部分と同様に構成した場合は、経線・緯線に一体化された耐久性線材の曲げ部分が、当接する緯線・経線の動きをそれぞれ抑制する抵抗となるため、より効果的に網の目ずれを防止することができ好適である。
【００１９】
請求項３〜５に係る発明では、腐食性線材と耐久性線材とを一体化して薄くしてあるので、コンパクトな保管、梱包が可能となり、運搬等も容易となり、特に、腐食性線材に対する耐久性線材の巻き付けまたは編み込みを行う請求項３、４に係る発明では、かかる効果が顕著に発揮される。
【００２０】
請求項６に係る発明では、法面緑化用の植物の成長を大いに促進することができ、法面の緑化の早期化および確実化を達成することができる法面保護用網が得られる。
【００２１】
請求項７、８に係る発明では、請求項１〜６に係る法面保護用網の上記効果を最大限に発揮させることのできる法面保護工法が得られる。また、上記法面保護工法において、工場等で腐食性線材に耐久性線材を予め一体化しておけば、現場では法面保護用網を敷設するだけでよく、上記一体化のための工程を省くことができるので、生産性の向上を図ることができる。しかも、法面保護工法の施工後のメンテナンス等は不要であるので、コスト・労力の低減を図ることもできる。
【発明を実施するための最良の形態】
【００２２】
以下、図面を参照しながら本発明の実施形態について説明する。図１は、本発明の一実施の形態に係る法面保護用網１および法面保護工法の構成を概略的に示す説明図、図２（Ａ）および（Ｂ）は、前記法面保護用網１の構成を概略的に示す説明図および正面図、図３（Ａ）および（Ｂ）は、前記法面保護用網１の状態が変化する過程の構成を概略的に示す説明図、図４（Ａ）〜（Ｃ）は、前記法面保護用網１の要部の状態が変化する過程の構成を概略的に示す説明図である。
【００２３】
この実施の形態に係る法面保護工法では、図１に示すように、法面保護用網１を施工対象地としての法面Ｎに例えばアンカーピン（図示していない）の打設によって敷設（張設）し、続いて、適宜の吹付け装置２を用いた吹付けによって植生基材３を法面Ｎ上に配置する。このように法面Ｎ上に吹き付けた（客土した）植生基材３は法面保護用網１に保持され、法面保護用網１と植生基材３とによって法面Ｎを緑化する緑化構造体４が形成される。
【００２４】
ここで、前記法面保護用網１は、図２（Ａ）および（Ｂ）に示すように、腐食性線材５と、この腐食性線材５に一体化されており、腐食性線材５の腐食後には伸ばすことができるように構成した耐久性線材６とを用いて形成してある。詳述すると、前記腐食性線材５は植物繊維（本実施形態では椰子繊維）からなり、この腐食性線材５を平織りにて編織することによって網状に形成してある。また、腐食性線材５の直径は１〜２０ｍｍ程度である。
【００２５】
これに対して、前記耐久性線材６は、前記腐食性線材５よりも遅く腐食する素材としての金属からなり、前記腐食性線材５に対し前記耐久性線材６を螺旋状に巻き付けることにより、耐久性線材６を腐食性線材５に一体化してある。また、耐久性線材６は、直径１〜２０ｍｍ（好ましくは３〜１０ｍｍ）程度の円を描く螺旋状となっており、その螺旋のスパン長（円を一周する距離）は５〜１５０ｍｍとしてある。また、耐久性線材６自体の直径は、０．５〜５．０ｍｍ（好ましくは０．７〜２．０ｍｍ）である。もちろん、耐久性線材６を残存させたい期間に応じてその直径や金属の種類を適宜に選択することができるのであり、本実施形態では直径１．０ｍｍの亜鉛めっき鉄線を耐久性線材６として用いている。
【００２６】
上記腐食性線材５と耐久性線材６とで構成した法面保護用網１の全体形状は、図１に示すように、互いに直交する経線部分１ａおよび緯線部分１ｂからなり、経線部分１ａが法面Ｎの等高線に垂直となり、緯線部分１ｂが法面Ｎの等高線と平行になるように法面Ｎ上に配置される。
【００２７】
そして、螺旋状の耐久性線材６を腐食性線材５に一体化させて法面保護用網１を形成した状態では、腐食性線材５と同様に全体として平織りにて編織された網状となっている耐久性線材６が前記経線部分１ａと緯線部分１ｂとの接点で凹凸により強固に絡み合うため（図４（Ａ）参照）、網状の腐食性線材５の目ずれを生じさせない。より詳細に説明すると、本実施形態によれば、腐食性線材５に耐久性線材６を螺旋状に巻き付けることによって、腐食性線材５の存在時には、腐食性線材５の表面に耐久性線材６による螺旋状凸部が形成されることとなり、法面保護用網１を平織りにて編織すると、法面保護用網１を構成する経線部分１ａおよび／または緯線部分１ｂはそれぞれこの凸部間に挟み込まれた状態となり、互いにスライドする動きが抑制されて目ずれを生じさせないのである。
【００２８】
一方、前記植生基材３は、種子、肥料、生育基盤材、保水材、土壌改良材などの少なくとも一種以上を配合したものであり、本実施形態では、牧草種の種子、肥料、生育基盤材、保水材、土壌改良材を配合してある。
【００２９】
次に、上記法面保護工法を施工した法面Ｎおよびこの法面Ｎ上に敷設した法面保護用網１の状態の変遷について説明する。まず、施工直後の法面Ｎ上には、前記植生基材３に牧草種の種子が配合されていることから、草本類を主体とする植生群落が早期に形成され、草本類の根茎は地表を薄く覆い極表層の土壌を捕縛する。そして、前記草本類の根茎は土中深部への侵入は稀であるため、かかる草本類が法面Ｎ上に存在するのみでは法面Ｎの表層侵食の防止が不十分となるが、本実施形態では法面Ｎに法面保護用網１を敷設して十分な表層侵食の防止を図っている。すなわち、法面保護用網１が当該表層侵食の防止機能を発揮するように、法面保護用網１を構成する網状の腐食性線材５を密に編み込んで網目を十分小さくしてある。
【００３０】
また、前記法面保護用網１（腐食性線材５）の網目を小さくしすぎると前記草本類を圧迫してその成長を阻害する懸念があるが、前記草本類は全体的に細く、図３（Ａ）に示すように、法面保護用網１の網目を草本類が余裕をもって挿通する大きさとしても上記表層侵食防止機能は十分得られる。すなわち、法面保護用網１（腐食性線材５）の網目の大きさは、表層侵食の防止機能の発揮と草本類の成長との両方を実現することができるように考慮して設定すればよい。
【００３１】
そして、上記草本類の群落が形成された頃に前記腐食性線材５としての椰子繊維は腐朽し（図４（Ｂ）参照）、表層侵食を防止する役割を終える。しかし、腐食性線材５が腐食分解した後も、全体形状が網状である耐久性線材６は法面Ｎ上に残存し、前記草本類による表層面の土壌捕縛を補完することにより、表層侵食の防止機能は継続して発揮されることになる。尚、この時点における耐久性線材６同士の接点は、耐久性線材６が螺旋状であることから強固に絡み合い、網状の全体形状は目ずれを生じることなく維持されることとなる。
【００３２】
その後、先駆性の樹種（初期導入種や侵入種）が成長を始め、根茎を土中深くまで進入させると共に、幹が徐々に耐久性線材６の目合いの大きさにまで肥大成長する。そして、図４（Ｃ）に示すように、前記幹の肥大成長に合わせて螺旋状の耐久性線材６は、いわばばねがまっすぐになるように伸び始め、やがて耐久性線材６の前記緯線部分１ａと経線部分１ｂとの接点における結合力が弱まり、絡まりが解けて目ずれが始まる。このとき、耐久性線材６は平織りされた網状となっているので、耐久性線材６どうしは水平方向にスライドする。
【００３３】
上記のように、本実施形態では、通常は欠点となる網の目ずれ（網状の耐久性線材６の目ずれ）を敢えて許容し、逆に利用することによって、前記幹のさらなる肥大成長を可能としている。すなわち、前記幹がさらに肥大成長を続けても、図３（Ｂ）に示すように、網状の耐久性線材６の網目は、上述した螺旋状の耐久性線材６の伸びに加え、目ずれによって非常に大きく拡がるため、その成長が妨げられることはない。
【００３４】
そして、このようにして成長した樹木は、やがて法面Ｎの表層面の土壌をその根茎により捕縛するようになり、耐久性線材６が果してきた上記機能は不要となり、法面Ｎ上の樹木のみで法面Ｎの表層侵食を防止する状態に移り変わる。
【００３５】
さらに、最終的には耐久性線材６も腐食して法面保護用網１の構成素材は法面Ｎ上から全て消失することになり、従って、法面保護用網１が環境に負荷を与えることはない。
【００３６】
上記法面保護用網１は腐朽速度の異なる複数の素材５，６によって形成してあるので、法面Ｎ上の緑化用植物の成長（植生群落の移行）に合わせて網目の大きさを好適に変化させることができ、前記法面保護用網１を用いた法面保護工法では法面Ｎの保護と緑化とを良好かつ確実に達成することが可能となる。
【００３７】
また、上記法面保護工法では、工場等で腐食性線材５に耐久性線材６を巻き付けて法面保護用網１を予め形成しておけば、現場では法面保護用網１を敷設するだけでよく、腐食性線材５と耐久性線材６とを一体化する工程を省くことができるので、生産性の向上を図ることができる。しかも、法面保護用網１は薄いのでコンパクトな保管、梱包が可能となり、運搬等も容易となる。さらに、法面保護工法を施工するには、法面Ｎに対して法面保護用網１の敷設と植生基材３の吹付けとを行うだけでよく、施工後のメンテナンス等は不要であるので、コスト・労力の低減を図ることもできる。
【００３８】
なお、上記実施の形態は、種々変形して実施することができる。例を挙げて説明すると、まず、前記法面保護用網１（腐食性線材５）は、平織りの網状をしているものに限られず、上述のような目ずれを許容する網状をしていればよく、平織り以外の網状をしていてもよい。
【００３９】
また、前記腐食性線材５および耐久性線材６は、それぞれ一種の素材からなるものに限られず、腐朽速度の異なる二種類以上の素材を用いて形成してあってもよい。この場合には、法面保護用網１の網目をより細かい段階に分けて徐々に拡げることが可能となる。
【００４０】
また、上記実施形態では、前記耐久性線材６を各腐食性線材５の全体に設け、法面保護用網１の全部を一体化した腐食性線材５と耐久性線材６とで構成してあるが、一体化した腐食性線材５と耐久性線材６とで法面保護用網１の一部のみを構成してもよい。例えば、腐食性線材５を網状に形成し、この腐食性線材５に対して耐久性線材６を適宜間隔おき（一定間隔おきでなく、部分的に間隔が異なっていてもよい）に設けてもよい。具体的には、図５（Ａ）に示すように、耐久性線材６を前記経線部分１ａと緯線部分１ｂとにそれぞれ一本おきに設けることができ、この場合、腐食性線材５の腐食後に残存する耐久性線材６の目合いが当初から広くなり、樹木の成長阻害をより確実に防ぐことができる。
【００４１】
また、上記実施形態では、耐久性線材６を腐食性線材５の腐食後には伸ばすことができるように螺旋状に設けているが、腐食性線材５の腐食後には伸ばすことができる曲げ部分を有する形状（例えば波状に屈曲させたり、ループ部や折り返し部を設けるなど）であれば螺旋状に限られない。但し、製造の容易性等の点を考慮すれば、螺旋状とするのが好適である。
【００４２】
さらに、例えば耐久性線材６を弾性に富むゴム紐などで構成するなどして弾性を持たせることにより、耐久性線材６を腐食性線材５の腐食後には伸ばすことができるように構成してもよい。
【００４３】
ここで、前記腐食性線材５が腐食しておらず緑化用植物としての上記草本類の群落が形成されていない初期段階で法面保護用網１に目ずれが生じることは法面Ｎの保護が不十分となる点で好ましくなく、この目ずれは法面Ｎの等高線と垂直な方向に生じやすいと考えられる。そのため、上記実施形態を変形する場合、その変形は、少なくとも前記経線部分１ａを、前記腐食性線材５と、前記腐食性線材５に一体化された前記耐久性線材６とによって構成し、前記耐久性線材６に、前記緯線部分１ｂが当接し腐食性線材５の腐食後には伸ばすことができる曲げ部分（例えば螺旋状部分）を設けてあるという構成を有する範囲内で行うことが望ましい。なぜなら、前記経線部分１ａをなす耐久性線材６に設けた曲げ部分に緯線部分１ｂが当接するので、上記目ずれの防止を図ることができるからである。従って、例えば、図５（Ｂ）に示すように、耐久性線材６を前記経線部分１ａのみに設けてもよい。
【００４４】
また、上記実施形態では、一体化するために前記耐久性線材６を腐食性線材５に螺旋状に（すなわち上記曲げ部分を有するように）巻き付けているが、例えば、腐食性線材５を編織して形成する際に耐久性線材６を螺旋状に（すなわち上記曲げ部分を有するように）編み込んでもよく、全体として網状の腐食性線材５と、上記曲げ部分を有し（例えば螺旋状で）全体として網状の耐久性線材６とを結束により一体化してもよい。後者の場合、前記耐久性線材６を、例えば平織りにより網状に形成することができる。
【００４５】
また、上記実施形態では、腐食性線材５と耐久性線材６との一体化を予め行うようにしてあるが、法面Ｎに腐食性線材５を敷設した後に耐久性線材６を一体化してもよい。
【００４６】
また、前記耐久性線材６は、化学繊維などの腐食しない素材からなっていてもよい。すなわち、環境性の点からは腐食性線材５よりも遅く腐食する素材からなっていることが望ましいが、法面Ｎの保護を重視する場合等には、耐久性線材５を腐食しない素材から構成することもできる。
【００４７】
また、前記植生基材３は、例えば、法面Ｎ周域（近傍）の埋土種子入り表土を含んでいてもよく、より具体的には、法面１周域の地山や森林等から採取された表土シードバンクに、ピートモス、バーク堆肥、肥料や保水材などの生育補助材や土壌改良材を適宜混合してなるものを含んでいてもよい。
【００４８】
また、前記植生基材３の保持方法は、法面保護用網１に対して吹付けのみを行うものに限らず、例えば、植生基材３を貼着した薄綿や紙等のシート状体を法面保護用網１の片面に設ける、植生基材３を収容した袋体や筒状体を不織布やヘッシャンクロス等からなるシート体と法面保護用網１とで挟持する、植生基材３を収容した袋体や筒状体を法面保護用網１に取り付ける、などによって行うこともできる。
【００４９】
また、上記法面保護工法では、植生基材３に牧草種の種子を配合し早期緑化を図っているが、これに限らず、例えば、上述のように埋土種子を含む表層土を配合すれば周辺植生の復元緑化を図ることができ、また、植生基材３を用いず、あるいは植生基材３に種子を配合せず、法面保護用網１の敷設のみを行って自然に周辺の飛来種子が定着するのを待つ待ち受け型の緑化を行ってもよく、緑化用植物の苗を法面Ｎに移植してもよい。
【００５０】
また、上記法面保護工法では、前記植生基材３を法面保護用網１の上に（上側から）客土し、法面保護用網１を植生基材３で覆っているが、これに限らず、例えば、法面Ｎ上に植生基材３を客土した後に法面保護用網１を敷設してもよい。
【図面の簡単な説明】
【００５１】
【図１】本発明の一実施の形態に係る法面保護用網および法面保護工法の構成を概略的に示す説明図である。
【図２】（Ａ）および（Ｂ）は、前記法面保護用網の構成を概略的に示す説明図および正面図である。
【図３】（Ａ）および（Ｂ）は、前記法面保護用網の状態が変化する過程の構成を概略的に示す説明図である。
【図４】（Ａ）〜（Ｃ）は、前記法面保護用網の要部の状態が変化する過程の構成を概略的に示す説明図である。
【図５】（Ａ）および（Ｂ）は、それぞれ前記法面保護用網の変形例の構成を概略的に示す平面図である。
【符号の説明】
【００５２】
１  法面保護用網
５  腐食性線材
６  耐久性線材
【図１】
2008231850.tif 000003
【図２】
2008231850.tif 000004
【図３】
2008231850.tif 000005
【図４】
2008231850.tif 000006
【図５】
2008231850.tif 000007